(57)【要約】【課題】本考案は近距離撮影に用いられる照明つきの近距離撮影装置と照明つきの光学増幅装置に関する。【解決手段】  該装置は近距離撮影レンズ２と、該近距離撮影レンズ２側に設置され、該近距離撮影レンズ２の周囲を照明する照明装置３とを備えてなる。【選択図】      図１
0003126595.tif 000002
【実用新案登録請求の範囲】
【請求項１】
近距離撮影に用いられる照明つきの近距離撮影装置であって、
近距離撮影レンズと、
前記近距離撮影レンズ側に設置され、該近距離撮影レンズの周囲を照明する照明装置と、
を備えてなる近距離撮影装置。
【請求項２】
撮影設備と電気的に接続された制御器を備え、該撮影設備を介して前記照明装置の照明度を調節する請求項１記載の近距離撮影装置。
【請求項３】
本体と、
前記本体上に設置された近距離撮影レンズ組と、
前記本体上に設置されると共に、前記近距離撮影レンズ周囲をめぐる照明装置と、
を備えてなる近距離撮影装置。
【請求項４】
前記照明装置は発光ダイオードにより組成されてなる請求項３記載の近距離撮影装置。
【請求項５】
ハンドル・バーと、
該ハンドル・バーの一端に設置された拡大鏡と、
前記拡大鏡と隣り合う発光ダイオードにより組成されてなる照明装置と、
を備えてなる照明つきの光学増幅装置。
【請求項６】
前記光学増幅装置は更に複数の発光ダイオードを備え、且つリング状に前記拡大鏡の周囲を回って設置され、照明方向は該拡大鏡中心に向って傾斜する請求項５記載の光学増幅装置。
【請求項７】
前記拡大鏡の周囲には、更に撮影設備と接合する接続リングが設置されている請求項５記載の光学増幅装置。
【考案の詳細な説明】
【技術分野】
【０００１】
本考案は近距離撮影装置に関し、特に撮影設備に運用される照明つきの近距離撮影装置と照明つきの光学増幅装置に関する。
【背景技術】
【０００２】
多数の撮影設備の中、最も汎用されているのはカメラである。大多数の一般民衆にとっては、カメラは通常風景及び遊覧写真等を撮影するための遊覧記録の工具とされている。
【０００３】
ところで、最近幾年では、電子技術の飛躍的進歩及び人人の消費能力が普遍的に上昇したので、カメラ自体は化学薬剤で光線を記録する代りに、電子素子で記録するように発展した。この外に、カメラ自体の機能も絶えず増加、増強しており、過去では僅に専業分野の近距離撮影（close-up photography）としか認められていなかったが、今では既に普遍化しており、大多数の消費型カメラ、特にディジタル・カメラはいずれも近距離機能を具備している。
【考案の開示】
【考案が解決しようとする課題】
【０００４】
ところが、近距離撮影の際、カメラのレンズ組と被写体との距離が近いので、カメラ及びレンズ組両者が被写体に近寄ってしまい、被写体に投射する周囲の光線が阻碍され、被写体により反射された光線に不足をかもしてしまう。これについて次の解決方式が採られていた。
【０００５】
先ず、充足な露光量に達するために、シャッターのオープン時間を延引させ、つまり、十分に足る光線が光線記録素子（電荷カップリング素子／ＣＣＤ、相補型モス／ＣＭＯＳ、原板）に投射するようにシャッターの速度を遅くする。しかしながら、シャッターのオープン時間を延引すると、カメラの揺動の可能性を増加するという反効果を来たし、原板の浪費、言換えれば電気の浪費となる。
【０００６】
次に、他の方法として絞りを大きく開くことにより、シャッターの速度を変改しない状況下で、レンズ組に比較的多くの光線を通過させて記録素子に到達する手段が採られている。しかしながら、大きな絞りにより生じられる問題はレンズ組が大きな絞りである場合、解像力及びコントラスト（被写体あるいは画像の最明部と最暗部との明るさの比）が比較的劣り、更には尤も重要な問題は、大絞り近距離撮影の場合、フィールド深度（depth of field／ＤＯＦ）が非常に浅く、厚さを例に取ればフィールド深度が紙のように極めて薄いものとなり、つまり、被写体上においてこのように薄いフィールド深度内の映像のみがはっきり見え、このフィールド深度外を出ると朦朧として、使用者にとって非常に不便である。したがって、例えば近距離撮影で花を撮影する場合、花が立体物であるので、花蕊から花びら、更に花茎に至るまでの距離は通常数十ミリメータに達し、レンズ組が大絞りな場合に包容できないフィールド深度範囲となる。
【０００７】
したがって、露光原理から分るように、絞りが大きければ大きいほど、シャッターが速くなり、反対に絞りが小さければ小さいほど、シャッターの速度が遅くなる場合に始めて同一の露光量を得ることができる。これから分るように、充足なフィールド深度を要求するためには絞りを小さく閉じなければならないので、シャッター速度の降下を来たしてしまい、揺動を招来する。この解決方法の一方法として、三脚台（tripod）でカメラを支持しているが、三脚自体が相当な重量を有しているので、携帯に不都合であり、特に旅行には尤も不適当である。他の一方法として、高感度の原板を使用、又は、感光電子素子の感度を高く設定することによりシャッター速度を向上させることが出来るが、高感度原板の顆粒が比較的大きいので増幅後顆粒の感受性が重く、解析度も低感度原板より低くなり、ディジタル・カメラについて言えば、感光素子の感度をアップすると、ノイズの増加という反効果を招来する。もしこのノイズを消除したい場合は、カメラ自体のソフトウェア、ハードウェアの性能、又は映像処理ソフトウェアの機能に依頼して処理する必要があり、この際これら素子、ソフトウェアの効能が悪いと、画面品質の低劣を来たすことから良い解決方法と言えがたい。
【０００８】
更に、他の一種の方法として、被写体に投射する光線の量を増加する方法が採られており、即ち閃光灯を利用して被写体に対してフラッシュすることにより、感光素子が感光するように、それにもっと多くの光線を反射させるが、閃光灯は内設又は附設のいずれにせよ、多くはカメラの機体上に設置されており、又は機体の上方に位置しているので、一般の用途に適用されているが、近距離撮影の場合には依然としてレンズ組が光線を阻碍する問題に面する。
【０００９】
したがって、被写体に充足な光線を提供するために、従来ではレンズ組の前方に近距離撮影閃光灯を設置する方式が採られているが、一般的には、いずれも職業用途に応ずるために設計され、通常の消費者について言えば、体積、重量及び価格上においていずれも負担を否む。況んや、現在の大多数のディジタル・カメラはいずれも近距離撮影機能を有しているが、その能力は限られており、被写体をより大きく撮ろうとする場合は、別に近距離撮影レンズを取付けなければならず、この近距離撮影レンズも又近距離撮影閃光灯の取付に対してトラブルを引起す。
【００１０】
また、凡ゆるディジタル・カメラがいずれも近距離撮影機能を具備しているのではなく、市上の大多数のディジタル・カメラは別に近距離撮影レンズを取付けることができるが、一旦近距離撮影に従事すれば、何時か被写体光線の不足、又は光線照射不均一の現象に面する。この外に、近距離撮影閃光灯と近距離撮影レンズとの間には容易にマッチして使用できない問題が存在している。
【００１１】
況んや、閃光灯は露光の時に始めて閃光するので、経験豊富の人でなければ、撮影された画面を想像できない。したがって、ディジタル・カメラ機能の不足の欠陥を解決することが重要課題となっている。
【００１２】
本考案の主たる目的は、撮影設備上に応用され、近距離撮影レンズと照明装置とを単一構造体に整合して、使用上の便利を増加すると共に、拡大鏡として単独に使用できる、照明つきの近距離撮影装置と照明つきの光学増幅装置を提供することにある。
【課題を解決するための手段】
【００１３】
上記目的を達成するための、本考案の照明つきの近距離撮影装置は近距離撮影に用いられ、該装置は近距離撮影レンズと、該近距離撮影側に設置され、該近距離撮影レンズの周囲を照明する照明装置とを、備えてなる。
【００１４】
上記近距離撮影装置は更に該照明装置と電気的に接続された制御器を備えてなる。
【００１５】
上記近距離撮影装置において、該制御器は撮影設備と電気的に接続されており、そして該撮影設備を電源している。
【００１６】
上記近距離撮影装置は更に、撮影設備と接続する接続リングを備えてなる。
【００１７】
上記近距離撮影装置において、該接続リングは該近距離撮影レンズの一端に設置されており、該接続リングと該撮影設備とが接合した時、該近距離撮影装置は該撮影設備のレンズ組の前方に位置する。
【００１８】
上記近距離撮影装置は更に、照明装置又は近距離撮影レンズを制御する制御パネルを備えてなる。
【００１９】
上記目的を達成するために、本考案は更に、本体と、該本体上に設置された近距離撮影レンズ組と、該本体上に設置されると共に、該近距離撮影レンズの周囲をめぐる照明装置とを備えてなる近距離撮影装置を提供する。
【００２０】
上記近距離撮影装置において、該本体は更に撮影設備と接続する接続リングを備えてなる。
【００２１】
上記近距離撮影レンズ組は一個又は一個以上のレンズを備えている。
【００２２】
上記近距離撮影装置において、該本体上には更に該照明装置の照明度を制御するための制御器が設置されている。
【００２３】
上記近距離撮影装置において、該本体上には更に、近距離撮影レンズ組の変化を制御する制御器が設置されている。
【００２４】
上記近距離撮影装置において、該本体上には更に、電力を照明装置に提供する電源装置が設けられている。
【００２５】
上記近距離撮影装置において、該電源装置は更に制御器と接続し、且つ該制御器の制御を受ける。
【００２６】
上記近距離撮影装置において、該照明装置は更に撮影設備と電気的に接続しているので、該照明装置は該撮影設備の電力及び制御を受ける。
【００２７】
上記近距離撮影装置において、該照明装置は発光ダイオードにより組成されてなる。
【００２８】
上記目的を達成するために、本考案は他に、ハンドル・バーと、該ハンドル・バーの一端に設置された拡大鏡と、該拡大鏡と隣り合う発光ダイオードにより組成されてなる照明装置と、を備えてなる照明つきの光学増幅装置を提供する。
【００２９】
前記光学増幅装置は更に複数の発光ダイオードを備え、且つリング状に該拡大鏡の周囲を回って設置されている。
【００３０】
上記光学増幅装置は更に電源装置を備えてなる。
【００３１】
上記光学増幅装置において、該電源装置は該ハンドル・バー内に設置されている。
【００３２】
上記光学増幅装置において、該電源装置は制御ボタンと電気的に接続して該照明装置の照明度を制御する。
【００３３】
上記光学増幅装置において、該拡大鏡の周囲には更に撮影設備と接合する接続リングが設置されている。
【考案を実施するための最良の形態】
【００３４】
以下、添付図面を参照しながら実施の態様を説明する。図１は本考案の照明つきの近距離撮影装置の立体見取り図である。図１において、１は本体を示し、構造上のミニ化及び材料の節約のために、原則上円筒状を主体とした筒状物が用いられる。この本体１の一端には近距離撮影レンズ２が設置されており、そしてこの近距離撮影レンズ２の近隣には一個又は一個以上の照明装置３が設けられている。被写体（図示せず）全体に均一な照明を得させるために、照明装置３は通常リング状に近距離撮影レンズ２の外囲を囲んでいる。これにより、近距離撮影レンズ２の作用を介して被写体の映像を拡大でき、そして照明装置３はこれに対して光線を投射して十分な照明を得させることにより、露光の不足の際、高速シャッターを保持するために大絞りをオープンしてもたらしたフィールド深度の過浅を回避し、又は露光の不足の際、比較的深いフィールド深度を保持するためにシャッター速度を降下してもたらした揺動を回避することができる。この外、これにより、高感度原板の使用又は高感度の設定のために比較的粗い顆粒又はノイズを忍びなければならないトラブルを回避することができる。
【００３５】
また、図１において、本体１の上には更に収容体４が設けられてあり、この収容体４には制御器４０（図２参照）、及び制御器４０と電気的に接続された電池４２が設置されている。制御器４０は更に発光装置３と電気的に接続され、これにより発光装置３の発光形態を制御、つまり、制御器４０を介して発光装置３の光線強弱を調整（即ち照明度の調整）、又は複数個の発光装置３において点灯を要する個数及び位置を決定することができる。電池４２は制御器４０及び発光装置３の電源とする。この外、収容体４又は本体１上に更に、発光装置３の輝度の変改用として制御ボタン４１が設置されている。
【００３６】
図２は本考案による照明つきの近距離撮影装置の断面図である。図２に示すように、本体１は中空物体であり、その一端には近距離撮影レンズ２が設置されてあり、そしてその前縁には発光装置３が設けられており、これにより近距離撮影を実行する時に、被写体に対して十分且つ全面的な照明を提供する。又、本体１の上には電池４２及び制御器４０を内蔵した収容体４が設けられてあり、その中、電池４２は制御器４０及び発光装置３に電源を提供する。そして、本体１上において、発光装置３に対応する他端に、本体１とカメラ５（図３参照）とを接続するための接続リング１０が設けられている。
【００３７】
図３は本考案を撮影設備と結合した立体見取り図である。この図３に示すように、本体１全体とカメラ５のレンズ組とが一体的に組合せられ、本体１の前方に複数個の発光装置３が取付けられている。光線は中間で空けた空間を通過して近距離撮影レンズ２に到達する。
【００３８】
図４は本考案による照明つきの近距離撮影装置の他の実施例の局部側断面図である。近距離撮影レンズ２及び照明装置３は十分に軽便であるので、カメラと連接しなくても相当な用途があり、照明機能を有する拡大鏡として使用できる。照明装置３は近距離撮影レンズ２の周りを囲んで設置されているので、使用者が近距離撮影レンズ２を物体（図示せず）正面に向けて観察すると、照明装置３は多くの角度からこの物体を照射でき、このようにすれば影が物体上に存在して観察の死角を作るような事態が発生しない。
【００３９】
本考案による本体１は図４に示すように当然近距離撮影レンズ２及び照明装置３を有し、撮影設備、例えばカメラに運用できるために、本体１上には更にねじ歯接続リング１０ａが具備してあり、これによりカメラ・レンズ組（図示せず）上の濾光鏡接続リング（図示せず）と相互締着する。
【００４０】
又、本体１上には更にハンドル・バー６が枢接されており、これにより本考案を単独使用する時にこれで握持でき、又、本体１がねじ歯接続リング１０ａを介してカメラ・レンズ組上に締着される時に、ハンドル・バー６は枢軸６０を介して回転し角度を変改することによりカメラの使用にトラブルが起らないようにする。ハンドル６中にも電池又は制御器（図示せず）を設置でき、且つその上の制御ボタンを介して照明装置３の照明度を調節、もしくは、その動作の是否を制御する。
【００４１】
図５は本考案による照明つきの近距離撮影装置の他の一実施例の立体分解見取り図である。本考案にマッチングしてなるのは薄型で有名な他種のカメラ５ａであり、その表面にはなんらの明白な凸出物体をも存在していず、且つカメラ５ａ上には握持面５０が固持され、使用者が右手で握持すると、この握持面５０は右手の中指、無名指がその上へ貼り被すのに供する。したがって、この握持面５０上には通常カメラの操作に関する押しボタンが取付ていなく、本実施例はこの特点を利用して本体１ａより握持面に沿って収容部４ａを形成する。この収容部４ａは握持面５０の前面に位置しているので、カメラの操作に対して何らの影響をも及ぼさない。
【００４２】
更には収容部４ａ上には本考案の各式機能を制御するための制御パネル４１ａが設けられており、本考案とカメラ５ａとが結合するとカメラ・レンズ組５２は収容孔１１を通り、近距離撮影レンズ２ａはレンズ組５２の正前方に位置する。この場合、近距離撮影レンズ２ａは支持座１２ａ上に固定され、近距離撮影レンズ２ａとレンズ組５２との間の距離を決定するために支持座１２ａを更に調節リング１２ｂ上に設置する。その中、近距離撮影レンズ２ａ、支持座１２ａ及び調節リング１２ｂは変焦レンズ組に取り替えられることも可能である。
【００４３】
本考案の重点特色は照明装置３０が支持座１２ａの前方に設置され、照明装置３０上に通常発光ダイオードである光源３２が複数個設置されている。以上図５に掲示された本考案装置の主要部分はやはり近距離撮影レンズ５ａ及び照明装置３０であり、収容部４ａは本考案装置に自用電力がある時に、電池４２又は制御回路（図示せず）として用いられ、即ち収容部４ａは本考案の効用を増大する。この外、照明装置３０の前方に光源３２の保護効用を有すると共に、光線が外部へ逸散しない筒状体１４ａを増設することができる。
【００４４】
図６は図５実施例の使用状態見取り図である。この図に示すように、本考案装置はカメラ５ａの前方に設置されており、収容部４ａも握持面５０（図５参照）の前方に位置しており、そして制御パネル４１ａは収容部４ａの上方に位置している。本考案の他の特色はカメラ５ａと電気的に接続できることにあり、即ち、本体１ａ上に設置された接続孔１６ａを介し、且つ、接続線（図示せず）を通してカメラ５ａと対応する装置とカメラ５ａとを電気的に接続する。このようにすれば、カメラ５ａは自己自体の撮影機能に基づいて本考案の照明装置３０及び近距離撮影レンズ２ａを制御することができる。当然、規格的に設計すれば、本体１ａ上に接点、プラグ等の素子を設計してカメラ上の差込孔、ソケットと接合することができる。
【００４５】
本考案装置はカメラとマッチングして使用され、特にディジタル・カメラに多く運用されている。ディジタル・カメラ自体の撮影モードが非常に多いので、もし近距離撮影モードを使用する際にカメラを通して本考案装置を制御できれば、本考案装置の運用上より多くの方便性及び弾性を有する。したがって、本考案装置はカメラと電気的に接続して、カメラ上の制御プログラムをして本考案装置に対して制御又は電力の供給を行わせしむることが出来る。この場合、カメラは近距離撮影モードの時にカメラ自体に必要な露光値に基づいて本考案装置の照明度、照明装置３の起動数量及び位置等を制御することが出来る。こうなると、一般的な撮影状況下で相当な効果を得ることが出来る。
【００４６】
この外、照明装置３は発光ダイオードを採用できるので、電気消耗量が低い状況下で持続光照明の効果を得ることができる。したがって使用者がたとえ非職業者であっても、容易に景観器又はスクリーンから本考案装置の照明状況を知ることができる。もしカメラの自動機能により生じられた照明が使用者に必要な効果でない場合、使用者は再度、制御器４０又はカメラを介して本考案装置の発光素子に対して微調を行うことにより所望の照明効果を得ることが出来る。本考案装置とカメラとの電気的接続に至っては、カメラ上のＵＳＢポート接続器を通して接続設備とすることができる。
【００４７】
これ以外に、本考案装置における近距離撮影レンズ２も変焦レンズ組、つまり焦点距離を変改できるレンズ組合に取り替えることができる。このようにすれば、使用者は必要な増幅率の変改に基づいて本考案装置の焦点距離を変改することができる。変焦の方式は手動又は電動であってもよい。もし電動変焦であれば、カメラを通してその変焦を制御することができる。
【００４８】
上記実施の態様は本考案をより具体的に説明するためのもので、本考案の技術的思想は決してこれに限定されるものでなく、添付クレームの範囲を逸脱しない限り、当業者による単純な設計変更、付加、修飾、置換えはいずれも本考案の技術的範囲に属する。
【図面の簡単な説明】
【００４９】
【図１】本考案による照明つきの近距離撮影装置の立体見取り図である。
【図２】本考案による照明つきの近距離撮影装置の断面図である。
【図３】本考案装置を撮影設備と結合した立体見取り図である。
【図４】本考案による照明つきの近距離撮影装置の他の実施例の局部側断面図である。
【図５】本考案による照明つきの近距離撮影装置の又他の実施例の立体分解見取り図である。
【図６】図５実施例の使用状態見取り図である。
【符号の説明】
【００５０】
１，１ａ…本体、１０…接続リング、１０ａ…ねじ歯接続リング、１１…収容孔、１２ａ…支持座、１２ｂ…調節リング、１４ａ…筒状体、２，２ａ…近距離撮影レンズ、３，３０…発光装置、３２…光源、４，４ａ…収容体、４０…制御器、４１…制御ボタン、４１ａ…制御パネル、４２…電池、５，５ａ…カメラ、５０…握持面、５２…カメラ・レンズ組、６…ハンドル・バー、６０…枢軸、６２…制御ボタン。
【図１】
0003126595.tif 000003
【図２】
0003126595.tif 000004
【図３】
0003126595.tif 000005
【図４】
0003126595.tif 000006
【図５】
0003126595.tif 000007
【図６】
0003126595.tif 000008